【手続補正書】
【提出日】平成17年4月5日(2005.4.5)
【手続補正１】
【補正対象書類名】明細書
【補正対象項目名】発明の名称
【補正方法】変更
【補正の内容】
【発明の名称】画像レイアウト装置、画像レイアウト方法、及び記録媒体
【手続補正２】
【補正対象書類名】明細書
【補正対象項目名】特許請求の範囲
【補正方法】変更
【補正の内容】
【特許請求の範囲】
【請求項１】
画像入力手段により入力される画像をレイアウトする画像レイアウト装置であって、
１頁中に複数の画像をレイアウトするレイアウト手段と、
前記レイアウト手段によるレイアウト結果を評価する評価手段と、
前記評価手段での評価結果に応じて画像のレイアウト結果を調整する調整手段と、
を有することを特徴とする画像レイアウト装置。
【請求項２】
前記評価手段は、前記調整手段により調整されたレイアウト結果を評価することを特徴とする請求項１記載の画像レイアウト装置
【請求項３】
前記評価手段は、前記レイアウト結果における各画像のレイアウト位置に基づいて該レイアウト結果を評価することを特徴とする請求項１又は２記載の画像レイアウト装置。
【請求項４】
前記評価手段は、前記レイアウト結果における前記画像間の位置関係に基づいて該レイアウト結果を評価することを特徴とする請求項１又は２記載の画像レイアウト装置。
【請求項５】
前記評価手段は、前記レイアウト結果における画像の重なり量に基づいて該レイアウト結果を評価することを特徴とする請求項１又は２記載の画像レイアウト装置。
【請求項６】
前記評価手段は、前記レイアウト結果における画像間の隔たり量に基づいて該レイアウト結果を評価することを特徴とする請求項１又は２記載の画像レイアウト装置。
【請求項７】
前記評価手段は、前記レイアウト結果における画像間の隔たり量の偏差に基づいて該レイアウト結果を評価することを特徴とする請求項１又は２記載の画像レイアウト装置。
【請求項８】
前記評価手段は、前記レイアウト結果における画像位置の偏り量を評価することを特徴とする請求項１又は２記載の画像レイアウト装置。
【請求項９】
入力される画像をレイアウトする画像レイアウト方法であって、
１頁中に複数の画像をレイアウトするレイアウト工程と、
前記レイアウト工程でのレイアウト結果を評価する評価工程と、
前記評価工程での評価結果に応じて画像のレイアウト結果を調整する調整工程と、
を有することを特徴とする画像レイアウト方法。
【請求項１０】
前記評価工程は、前記調整工程で調整されたレイアウト結果を評価することを特徴とする請求項９記載の画像レイアウト方法。
【請求項１１】
前記評価工程は、前記レイアウト結果における各画像のレイアウト位置に基づいて該レイアウト結果を評価することを特徴とする請求項９又は１０記載の画像レイアウト方法。
【請求項１２】
前記評価工程は、前記レイアウト結果における前記画像間の位置関係に基づいて該レイアウト結果を評価することを特徴とする請求項９又は１０記載の画像レイアウト方法。
【請求項１３】
前記評価工程は、前記レイアウト結果における画像の重なり量に基づいて該レイアウト結果を評価することを特徴とする請求項９又は１０記載の画像レイアウト方法。
【請求項１４】
前記評価工程は、前記レイアウト結果における画像間の隔たり量に基づいて該レイアウト結果を評価することを特徴とする請求項９又は１０記載の画像レイアウト方法。
【請求項１５】
前記評価工程は、前記レイアウト結果における画像間の隔たり量の偏差に基づいて該レイアウト結果を評価することを特徴とする請求項９又は１０記載の画像レイアウト方法。
【請求項１６】
前記評価工程は、前記レイアウト結果における画像位置の偏り量を評価することを特徴とする請求項９又は１０記載の画像レイアウト方法。
【請求項１７】
コンピュータに、入力される画像をレイアウトする画像レイアウト方法の各手順を実行させるためのプログラムを記録したコンピュータ読み取り可能な記録媒体であって、前記画像レイアウト方法は、
１頁中に複数の画像をレイアウトするレイアウト手順と、
前記レイアウト手順によるレイアウト結果を評価する評価手順と、
前記評価手順での評価結果に応じて画像のレイアウト結果を調整する調整手順と、
を有することを特徴とする記録媒体。
【請求項１８】
前記評価手順は、前記調整手順により調整されたレイアウト結果を評価することを特徴とする請求項１７記載の記録媒体
【請求項１９】
前記評価手順は、前記レイアウト結果における各画像のレイアウト位置に基づいて該レイアウト結果を評価することを特徴とする請求項１７又は１８記載の記録媒体。
【請求項２０】
前記評価手順は、前記レイアウト結果における前記画像間の位置関係に基づいて該レイアウト結果を評価することを特徴とする請求項１７又は１８記載の記録媒体。
【請求項２１】
前記評価手順は、前記レイアウト結果における画像の重なり量に基づいて該レイアウト結果を評価することを特徴とする請求項１７又は１８記載の記録媒体。
【請求項２２】
前記評価手順は、前記レイアウト結果における画像間の隔たり量に基づいて該レイアウト結果を評価することを特徴とする請求項１７又は１８記載の記録媒体。
【請求項２３】
前記評価手順は、前記レイアウト結果における画像間の隔たり量の偏差に基づいて該レイアウト結果を評価することを特徴とする請求項１７又は１８記載の記録媒体。
【請求項２４】
前記評価手順は、前記レイアウト結果における画像位置の偏り量を評価することを特徴とする請求項１７又は１８記載の記録媒体。
【手続補正３】
【補正対象書類名】明細書
【補正対象項目名】０００１
【補正方法】変更
【補正の内容】
【０００１】
【発明の属する技術分野】
本発明は、写真や図形や文字等のディジタル画像を所望の形式でレイアウトして出力する、例えば電子アルバムなどの画像レイアウト装置、画像レイアウト方法、及び記録媒体に関するものである。
【手続補正４】
【補正対象書類名】明細書
【補正対象項目名】０００４
【補正方法】変更
【補正の内容】
【０００４】
本発明は上述した従来の技術の有するこのような問題点を解決するために考えられたものであり、画像入力手段等により入力される画像をレイアウトする画像レイアウト装置において、ページ内に綺麗に、しかも簡単に画像をレイアウトできるようにすることを目的とする。
【手続補正５】
【補正対象書類名】明細書
【補正対象項目名】０００５
【補正方法】変更
【補正の内容】
【０００５】
また、画像入力手段等により入力される画像をレイアウトする画像レイアウト装置において、操作者の作業を煩雑化することなく、また、単調なレイアウト結果になることなく、画像を見栄え良くレイアウトできるようにすることを目的とする。
【手続補正６】
【補正対象書類名】明細書
【補正対象項目名】０００６
【補正方法】変更
【補正の内容】
【０００６】
【課題を解決するための手段】
上記目的を達成するために、本発明は、画像入力手段により入力される画像をレイアウトする画像レイアウト装置であって、１頁中に複数の画像をレイアウトするレイアウト手段と、前記レイアウト手段によるレイアウト結果を評価する評価手段と、前記評価手段での評価結果に応じて画像のレイアウト結果を調整する調整手段とを有することを特徴とする。
【手続補正７】
【補正対象書類名】明細書
【補正対象項目名】０００７
【補正方法】削除
【補正の内容】
【手続補正８】
【補正対象書類名】明細書
【補正対象項目名】００５７
【補正方法】変更
【補正の内容】
【００５７】
次に、ステップＳ８０３において、レイアウト評価部１１４により、レイアウト結果の個々のコストを求める。コストとは、レイアウトの結果を多方面から評価した結果の評価値を意味する。評価する項目には、例えば、以下の項目がある。
【手続補正９】
【補正対象書類名】明細書
【補正対象項目名】００５９
【補正方法】変更
【補正の内容】
【００５９】
画像の隔たり量の評価とは、画像どうしのエッジ部が直線上に並んでいるかどうかを評価することを意味する。エッジが直線状に並んでいる方が、より良いレイアウトである。水平、垂直方向別々に、画像のエッジ同士の間隔を求め、それを決められた一定値で割りコストとする。
【手続補正１０】
【補正対象書類名】明細書
【補正対象項目名】０１１０
【補正方法】変更
【補正の内容】
【０１１０】
【発明の効果】
以上説明したように、本発明によれば、画像入力手段等により入力される画像をレイアウトする画像レイアウト装置において、ページ内に綺麗に、しかも簡単に画像をレイアウトすることができる。また、画像入力手段等により入力される画像をレイアウトする画像レイアウト装置において、操作者の作業を煩雑化することなく、また、単調なレイアウト結果になることなく、画像を見栄え良くレイアウトすることができる。